(57)【要約】【構成】上蓋と下蓋を開閉可能にし、印鑑を収納する印鑑収納部と朱肉部を設けた印鑑ケースにおいて、上蓋若しくは下蓋に長孔を有する台座板を設け、前記長孔に対応する係合片を有した朱肉皿を備え、前記係合片を前記長孔に嵌挿した状態で回転させ、前記台座板に設けた係合突起と前記係合片の肩部に設けた係合突起が嵌着されることにより、前記朱肉皿が前記台座板に対して着脱自在にし、さらに、長孔を有する台座板を設けた上蓋若しくは下蓋の相対する部分にスライド可動の蓋片を設け、前記蓋片をスライドさせることにより朱肉皿の係合片を露呈して、手等により朱肉皿を回転可能及び係脱可能としたことを特徴とする印鑑ケース。【効果】朱肉皿の周縁部や係合片を手等により摘んで回転することで朱肉皿は上方に抜け止め状に構成されるため、不用意に朱肉皿が外れてしまうようなことがない。【選択図】            図１０
2005022084.tif 000002
【特許請求の範囲】
【請求項１】
上蓋と下蓋を開閉可能にし、印鑑を収納する印鑑収納部と朱肉部を設けた印鑑ケースにおいて、上蓋若しくは下蓋に長孔を有する台座板を設け、前記長孔に対応する係合片を有した朱肉皿を備え、前記係合片を前記長孔に嵌挿した状態で回転させ、前記台座板に設けた係合突起と前記係合片の肩部に設けた係合突起が嵌着されることにより、前記朱肉皿が前記台座板に対して着脱自在になるようにしたことを特徴とする印鑑ケース。
【請求項２】
長孔を有する台座板を設けた上蓋若しくは下蓋の相対する部分にスライド可動の蓋片を設け、前記蓋片をスライドさせることにより朱肉皿の係合片を露呈して、手等により朱肉皿を回転可能及び係脱可能としたことを特徴とした請求項１に記載の印鑑ケース。
【発明の詳細な説明】
【０００１】
【産業上の利用分野】
本願発明は、交換可能な朱肉皿を有する印鑑ケースに関するものである。
【０００２】
【従来の技術】
従来より、印鑑ケースは印肉（印じょく体）を一種類で固定して取り替え不可能なものであった。こうした印鑑ケースの先願には、実開昭５５−１０７１３号（以下、（イ）とする。）があり、印肉（印じょく体）を印鑑ケースに嵌め込む方法である。
こうした印鑑ケースは印肉（印じょく体）が使用不可能になれば、ケース自体が使用できなくなるといった問題を持っていた。こうした事を解決するために、例えば先願には実開昭５０−２７９１４号（以下、（ロ）とする。）がある。
（ロ）は、回転防止、抜け防止の山と溝により構成されており、その山と溝の嵌め合いによる圧入嵌合であって、この方法の場合、印肉入の取り外しは、印肉入の周囲を掴んで抜き取る方法による。そうした場合、（ロ）が記載しているように、印肉入とケースを容易に取り外すことができるようになるため、（ロ）は印肉入を取替えることができる機能を有している。
【０００３】
【特許文献１】
実開昭５５−１０７１３号（第１頁、第１図−第２図）
【特許文献２】
実開昭５０−２７９１４号（第１頁、第１図−第２図）
【０００４】
【発明が解決しようとする課題】
しかしながら前記取替式印肉入では、（ロ）が記載しているように、印肉入とケースを容易に取り外すことができるようにはなるが、その反面、印鑑に印肉を付着させる際に、印肉の粘着力によって印鑑と印肉が密着し印肉入れが外れてしまったり、また予期せぬ脱落方向への力によって、不用意に印肉入れが外れてしまう等の問題があった。
【０００５】
本発明は、上記従来技術の問題点に着目してなされたもので、印鑑に印肉を付着させる際に、印肉の粘着力によって印鑑と印肉が密着し印肉入れが外れてしまうようなことや、予期せぬ脱落方向への力によって不用意に印肉入れが外れてしまうようなことのない印鑑ケースを提供することを目的とする。
【０００６】
【課題を解決するための手段】
本発明は、前記目的を達成するため次の構成を有する。本発明は、上蓋と下蓋を開閉可能にし、印鑑を収納する印鑑収納部と朱肉を設けた印鑑ケースにおいて、上蓋若しくは下蓋に長孔を有する台座板を設け、前記長孔に対応する係合片を有した朱肉皿を備え、前記係合片を前記長孔に嵌挿した状態で回転させ、前記台座板に設けた係合突起と前記係合片の肩部に設けた係合突起が嵌着されることにより、前記朱肉皿が前記台座板に対して着脱自在になるようにしたことを特徴とする印鑑ケースである。
【０００７】
また、長孔を有する台座板を設けた上蓋若しくは下蓋の相対する部分にスライド可動の蓋片を設け、前記蓋片をスライドさせることにより朱肉皿の係合片を露呈して、手等により朱肉皿を回転可能及び係脱可能になるようにしたことを特徴とする印鑑ケースである。
【０００８】
【発明の実施の形態】
まず、本発明第１の実施例を図１〜図７を基に詳細に説明する。本発明第１の実施例に係る印鑑ケースは、上蓋１の一側縁と下蓋２の一側縁との間に可動性の連結部７を設ける一方、この連結部７とは反対側に設けた口金５、６によって上蓋１と下蓋２を自由に開閉可能にしてある。上蓋１及び下蓋２は、熱硬化性または熱可塑性の合成樹脂によって略かまぼこ形に成形され、内部には印鑑収納部３ａ、３ｂ及び朱肉部４が形成されている。連結部７は、上蓋１及び下蓋２の各一側縁にそれぞれ突出形成された円筒部８ａ、８ｂ及び９ａ、９ｂと、これら円筒部８ａ、８ｂ及び９ａ、９ｂ内を貫通するピン１０とで構成されている。下蓋２には、印鑑収納部３ｂに隣接して台座板１１を着座させる。台座板１１は略Ｌ字状の板で、中央部に長孔１２を有している。台座板１１には朱肉部４を収容した朱肉皿１３が着脱自在に嵌着されるもので、朱肉皿１３の下面には、台座板１１の長孔１２に対応する形状で、長孔１２に嵌挿した状態で回転自在な係合片１４を設けてある。
【０００９】
この朱肉皿１３の取付け方法は、台座板１１の上面と朱肉皿１３の下面を対向させた状態で係合片１４を長孔１２に嵌挿し、係合片１４が長孔１２の奥端面に到達したら、朱肉皿の周縁部を摘んで回転させる。すると、朱肉皿１３が回転して台座板１１の下面に設けてある係合突起１１ａを係合片１４の係合突起１４ａが乗り越えて、長孔１２と係合片１４は交差した状態となって、係合片１４の上面と台座板１１の下面が係合状態となり、朱肉皿１３は上方に抜け止め状となる。これにより、朱肉皿１３の取付けが完了する。
【００１０】
ここで、朱肉皿１３の形状は円形状や四角形状等任意の形状でよい。係合片１４の形状は、半円形状、楕円形状、四角形状等任意の形状でよい。台座板１１を下蓋２へ着座させる方法は、接着や嵌合等任意の方法でよい。また、台座板１１と下蓋２が一部品で構成されてもよい。
【００１１】
次に、本発明第１の実施例の作用について説明する。
印鑑ケースの朱肉皿１３を交換する場合には、台座板１１の上面に係合している朱肉皿１３の周縁部を摘んで回転させて、台座板１１の下面に設けてある係合突起１１ａと係合片１４の係合突起１４ａの係合状態を解き、その状態で長孔１２から係合片を抜き取り朱肉皿１３を取出す。このように、古い朱肉皿１３を抜き取ったら、前記段落番号０００９に記載した要領で新しい朱肉皿１３を台座板１１に取り付け、新しい朱肉皿１３の取付けが完了する。
【００１２】
このように、長孔１２と係合片１４が交差した状態となって、係合片１４の上面と台座板１１の下面が係合状態となり、朱肉皿１３は上方に抜け止め状となるため、印鑑に朱肉を付着させる際に、朱肉の粘着力によって印鑑と朱肉が密着し朱肉皿が外れてしまうようなことや、予期せぬ脱落方向への力によって不用意に朱肉皿が外れてしまうようなことがない。また、朱肉皿１３を着脱自在として交換可能としたことにより、インク補充の必要性がなくなるので、補充するインクにより手や衣服、その他周辺を汚す恐れもない。
【００１３】
本発明第２の実施例を図８〜図１０を基に詳細に説明する。
本発明第２の実施例に係る印鑑ケースは、長孔１２を有する台座板１１を設けた下蓋２の相対する部分に、蓋片１５を嵌挿可能な窓部１６を設る。蓋片１５は窓部１６に対応する形状で、スライド片１５ａと突起１５ｃを有している。窓部１６には、スライド片１５ａに対応する形状でスライド溝１６ａを両側縁に設けてあり、スライド溝１６ａにスライド片１５ａを嵌挿することにより、蓋片１５が窓部１６に着脱自在に嵌合固定される。蓋片１５の略先端部に係合突起１５ｂを設け、該係合突起１５ｂに対応する形状で窓部１６の奥端部に設けた係合突起１６ｂとを嵌着させることにより、蓋片１５は係合状態となり蓋片１５の取付けが完了し、窓部１６が閉塞する。
【００１４】
ここで、蓋片１５の形状は四角形状や半円形状等任意の形状でよい。突起１５ｃの形状は指先等に引っ掛かる形状であれば円形状や四角形状等任意の形状でよく、また、同様の機能を有するのであれば、凸凹の連続する形状等にしてもよい。
【００１５】
次に、本発明第２の実施例の作用について説明する。
印鑑ケースの朱肉皿１３を交換する場合には、まず、蓋片１５に設けた突起１５ｃに指先等を引っ掛けて、蓋片１５を取外し方向にスライドさせることにより、係合突起１５ｂが係合突起１６ｂを乗り越えることによって係合状態が解除され、さらに窓部１６のスライド溝１６ａに沿って蓋片１５をスライドさせることにより、蓋片１５を取外す。このようにして窓部１６を開口させることによって、朱肉皿１３の係合片１４を露呈させる。露呈された係合片１４を手等により摘んで回転させて、台座板１１の下面に設けてある係合突起１１ａと係合片１４の係合突起１４ａの係合状態を解き、その状態で朱肉皿１３の周縁部も摘みながら長孔１２から係合片を抜き取り朱肉皿１３を取出す。
【００１６】
次に、新しい朱肉皿１３を取付ける方法は、台座板１１の上面と朱肉皿１３の下面を対向させた状態で係合片１４を長孔１２に嵌挿し、係合片１４が長孔１２の奥端面に到達したら、朱肉皿１３の係合片１４を摘んで回転させる。すると、朱肉皿１３が回転して台座板１１の下面に設けてある係合突起１１ａを係合片１４の係合突起１４ａが乗り越えて、長孔１２と係合片１４は交差した状態となって、係合片１４の上面と台座板１１の下面が係合状態となり、朱肉皿１３は上方に抜け止め状となる。これにより、朱肉皿１３の取付けが完了する。このように、新しい朱肉皿１３の取付けが完了したら、前記段落番号００１３に記載した要領で蓋体１５を窓部１６に取り付け、窓部１６の閉塞が完了する。
【００１７】
このように、スライド可能な蓋片１５を取外し、窓部１６を開口させることにより朱肉皿１３の係合片１４を露呈することができるため、朱肉皿１３の周縁部だけでなく、該係合片１４を手等により摘んで回転することができる。また、本発明第１の実施例と同様に、長孔１２と係合片１４が交差した状態となって、係合片１４の上面と台座板１１の下面が係合状態となり、朱肉皿１３は上方に抜け止め状となるため、印鑑に朱肉を付着させる際に、朱肉の粘着力によって印鑑と朱肉が密着し朱肉皿が外れてしまうようなことや、予期せぬ脱落方向への力によって不用意に朱肉皿が外れてしまうようなことがない。また、朱肉皿１３を着脱自在として交換可能としたことにより、インク補充の必要性がなくなるので、補充するインクにより手や衣服、その他周辺を汚す恐れもない。
【００１８】
【効果】
以上の通り、本発明の印鑑ケースでは、朱肉皿を台座板に着脱自在に取付ける構成にすることにより朱肉皿が交換可能となる。その際、朱肉皿の周縁部や係合片を手等により摘んで回転することで朱肉皿は上方に抜け止め状に構成されるため、不用意に朱肉皿が外れてしまうようなことがない。また、朱肉皿を着脱自在として交換可能としたことにより、インク補充の必要性がなくなるので、補充するインクにより手や衣服、その他周辺を汚す恐れもない。
【００１９】
【図面の簡単な説明】
【図１】本発明第１の実施例の平面図。
【図２】本発明第１の実施例の朱肉皿を外した状態の平面図。
【図３】本発明第１の実施例の朱肉皿の正面図。
【図４】本発明第１の実施例の朱肉皿を長孔に嵌挿した状態を示す横断面図。
【図５】本発明第１の実施例の朱肉皿を長孔に嵌挿した状態を示す縦断面図。
【図６】本発明第１の実施例の朱肉皿を回転した状態を示す横断面図。
【図７】本発明第１の実施例の朱肉皿を回転した状態を示す縦断面図。
【図８】本発明第２の実施例の背面図。
【図９】本発明第２の実施例の蓋片を取外す状態を示す一部横断面図。
【図１０】本発明第２の実施例の蓋片を取外す状態を示す縦断面図。
【符号の説明】
１      上蓋
２      下蓋
３ａ、３ｂ  印鑑収納部
４      朱肉部
５、６  口金
７      連結部
８、９  円筒部
１０      ピン
１１      台座板
１１ａ    係合突起
１２      長孔
１３      朱肉皿
１４      係合片
１４ａ    係合突起
１５      蓋片
１５ａ    スライド片
１５ｂ    係合突起
１５ｃ    突起
１６      窓部
１６ａ    スライド溝
１６ｂ    係合突起
【図１】
2005022084.tif 000003
【図２】
2005022084.tif 000004
【図３】
2005022084.tif 000005
【図４】
2005022084.tif 000006
【図５】
2005022084.tif 000007
【図６】
2005022084.tif 000008
【図７】
2005022084.tif 000009
【図８】
2005022084.tif 000010
【図９】
2005022084.tif 000011
【図１０】
2005022084.tif 000012